(57)【特許請求の範囲】
【請求項１】
受話器側ケースと送話器側ケースとがそれぞれの端部において相互に揺動可能な状態で連結して構成された折り畳み式携帯電話機において、
前記両ケースを閉じたとき外側となる前記受話器側ケースの表面、及び／又は前記両ケースを閉じたとき外側となる前記送話器側ケースの表面に、操作キーとディスプレイとを設け、
前記操作キーのいずれかが、電話機内蔵メモリ又は外付けメモリに格納されている音楽データに対して操作を行うオーディオ操作手段であり、前記ディスプレイにオーディオ操作中の音楽データに関する情報を表示することを特徴とする折り畳み式携帯電話機。
【請求項２】
請求項１に記載の折り畳み式携帯電話機において、
前記操作キーは、センターを中心にした上下左右４方向にある４つのキーで構成されることを特徴とする折り畳み式携帯電話機。
【発明の詳細な説明】
【０００１】
【発明の属する技術分野】
本発明は折り畳み式携帯電話機に係り、特に、折り畳んだ状態でも所定の操作を行うことのできる折り畳み式携帯電話機に関する。
【０００２】
【従来の技術】
従来の携帯電話機において、折畳み技術を採用している折り畳み式携帯電話機（以下、電話機と称す）は多く存在する。これらの電話機は、折畳んだ状態では操作が行えず、開いた状態ではじめて操作可能なものばかりであった。上記折畳み技術については下記の＜従来の折り畳み式携帯電話機＞にて説明する。また、近年、電話機内臓メモリもしくは外付けメモリに記憶されている音楽データを再生させようとするアイデアが提案されている。上記音楽データの再生については下記の＜オーディオ操作案＞にて説明する。
【０００３】
＜従来の折り畳み式携帯電話機＞
図５及び図６を用いて従来の折り畳み式携帯電話機について説明する。
図５において、ユーザによるキー５１７押下の信号はI／Oポート５２３を経由してCPU５０１へ送られる。ROM５０３上に記録されたプログラムに応じて、入力に対応した処理が起動され、表示や発信処理が行われる。表示はI／Oポート５２３を経由してLCD５１１画面上に表示される。発信処理は無線部５０７へ発信の旨の制御信号が送られ、無線部５０７は発信動作をおこなう。
【０００４】
その他に、無線部５０７が起動中か停止中かをCPU５０１が管理するための情報などを記憶するメモリ５０５などがある。また折畳み検出器５２１は電話機が折畳まれている事を検出すると、I／Oポート５２３を経由してCPU５０１に信号を送信する。CPU５０１ではこの信号により折畳まれていると認識し、LCD５１１の電源をOFFするなどの処理を行う。
【０００５】
折畳み検出器５２１からの信号が入力されなくなった時には電話機が開かれていると認識し、LCD５１１の電源をONするなどの処理を行う。またCPU５０１はスピーカやマイクについても、LCD５１１に対して行った処理を同様に行う。なお、電話機の折畳み検出方法については様々な手段が考えられるが、例として図６を参照して以下に説明する。
図６において折畳み式携帯電話機が折畳まれると、凸部６０１が、凹部６０３に入り凹部６０３の中のボタンを押し込む。ボタンからの信号がCPU５０１に送られ、CPU５０１は電話機が折畳まれたことを検知する。
【０００６】
＜オーディオ操作案＞
携帯電話機において、音楽データを再生する際の動作を図７を参照して以下に説明する。音楽データはメモリ７０５、または外付けメモリ７０７に格納されている。音楽データの格納方法については様々な方法が考えられるが、ここではインターネット等のネットワークから音楽データをダウンロードし、外付けメモリに格納する過程を簡単に説明する。
【０００７】
ユーザはキー７０９入力によりアクセス先を指定し、CPU７０１によって無線部７１１、アンテナ７１３を介して基地局に接続する。基地局は交換機網を介して、上記アクセス先とユーザ端末との間の回線を接続する。つづいて、キー７０９入力により、好みの音楽を指定しダウンロードする。携帯電話機はアクセス先から基地局を介し、アンテナ７１３、無線部７１１によって音楽データを受信する。CPU７０１は受信した音楽データを外付けメモリ７０７（又は内蔵メモリ７０５）に格納する。
外付けメモリ７０７に格納された音楽データは、キー７０９入力によってその再生が電話機に指示される。ユーザから再生指示が出されると、CPU７０１は外付けメモリ７０７から音楽データを取り出し、可聴データに変換した上でスピーカやイヤホン等から出力する。
【０００８】
【発明が解決しようとする課題】
しかしながら、音楽データの再生が可能である折畳み式携帯電話機においては、以下に挙げる問題が生じる。
１．電話機を開かなければ操作ができないため、折畳んだ状態では音楽を再生、停止する等といったオーディオ操作ができない。よってユーザは、電話機を開く → 音楽を再生する操作を行う → 電話機を折畳むといった一連の動作をしなければならない。また、再生中の音楽の一時停止や早送りを行う場合においても、電話機を開いて操作をしなければならない。
２．電話機が折畳んである状態では、LCD７１５を見ることができない。よって再生中の音楽の曲名、アーティスト名、経過時間を確認するためには電話機を開かなければならない。
３．上記１および２の問題を解決するため、電話機を開いた状態で音楽再生を行うと、収納性を損なってしまう。
４．電話機を開いた状態での持ち運びは、折り畳み式携帯電話機特有である受話器側ケース（フタ部）と送話器側ケース（底部）の接合部の損傷をおこす可能性がある。
本発明は上記の点に鑑みてなされたもので、操作性と収納性にすぐれた折り畳み式携帯電話機を提供することを目的とする。
【０００９】
【課題を解決するための手段】
上記課題を解決するため、本発明の折り畳み式携帯電話機は、受話器側ケースと送話器側ケースとがそれぞれの端部において相互に揺動可能な状態で連結して構成されており、両ケースを閉じたとき外側となる受話器側ケースの表面、及び／又は両ケースを閉じたとき外側となる送話器側ケースの表面に、操作キーとディスプレイとを設け、
前記操作キーのいずれかが、電話機内蔵メモリ又は外付けメモリに格納されている音楽データに対して操作を行うオーディオ操作手段であり、前記ディスプレイにオーディオ操作中の音楽データに関する情報を表示することを特徴とする。
また、本発明による折り畳み式携帯電話機においては、上記操作キーのいずれかが、センターを中心にした上下左右４方向にある４つのキーで構成されることが好ましい。  
【００１０】
【発明の実施の形態】
次に図１〜７を参照して本発明による折り畳み式携帯電話機の実施の形態を詳細に説明する。ここで、図１は本発明の実施の形態である折り畳み式携帯電話機を示す機能ブロック図であり、図２及び図３は本発明の第１の実施の形態である折り畳み式携帯電話機の外観図であり、図４は本発明の第２の実施の形態である折り畳み式携帯電話機の外観図である。
【００１１】
図１を参照すると、本発明による電話機の実施の形態を示す機能ブロック図が示されている。同図において、ユーザによるキー１１７押下の信号はI／Oポート１２３を経由してCPU１０１へ送られる。つづいて、ROM１０３上に記録されたプログラムに応じて、入力に対応した処理が起動され、表示動作や発信操作が行われる。表示内容はI／Oポート１２３を経由してLCD１１１画面上に表示される。発信処理は無線部１０７へ発信の旨の制御信号が送られ、無線部１０７は発信動作をおこなう。
【００１２】
その他に、無線部１０７が起動中か停止中かをCPU１０１が管理するための情報などを記憶するメモリ１０５などがある。また折畳み検出器１２１は電話機が折畳まれている事を検出すると、I／Oポート１２３を経由してCPU１０１に信号を送信する。CPU１０１ではこの信号により折畳まれていると認識し、LCD１１１の電源をOFFするなどの処理を行う。折畳み検出器１２１からの信号が入力されなくなった時には電話機が開かれていると認識し、LCD１１１の電源をONするなどの処理を行う。またCPU１０１はスピーカやマイクについても、LCD１１１に対して行った処理を同様に行う。
【００１３】
本実施の形態では、電話機を折畳んだ状態でも操作可能なオーディオキー１１５を折畳んだ状態で底部となる送話器側ケースに設けた。さらに従来からあるLCD１１１に加え、折畳んだ状態でフタ部となる受話器側ケースに小型LCD１１３を設けた。オーディオキー１１５は電話機を折畳んだ状態でオーディオ操作を行うため、例えば、外付けメモリ１１９（又はメモリ１０５）に格納されている音楽データを再生するときに使用するための操作キーである。また、電話機が折り畳まれた状態のときには小型LCD１１３に再生中の曲名、アーティスト名、経過時間などが表示される。
【００１４】
オーディオキー１１５および小型LCD１１３を設置したことによる電話機の動作としては、電話機が折畳まれると、CPU１０１は折畳み検出器１２１からの信号により電話機が折畳まれたことを検知し、「オーディオモード」に移行する。電話機が開かれると、CPU１０１は電話機が開かれたことを検知し「TELモード」に移行する。表1に電話機が折畳まれた状態（「オーディオモード」のとき）と、電話機が開かれた状態（「TELモード」のとき）における各装置の動作を示す。
【００１５】
【表１】
0003690585.tif 000002
【００１６】
図２は本発明の第２の実施の形態である折り畳み式携帯電話機を折り畳んだときの外観斜視図である。外付けメモリ１１９はカード型をした半導体チィップであり、インターネット等のネットワークからダウンロードした音楽データ等を格納することができる。音楽データについてはメモリ１０５に格納するなど、様々な格納方法が考えられるが、ここでは外付けメモリ１１９に格納した場合を例にとって説明する。
【００１７】
▲１▼  ユーザはキー１１７入力によりアクセス先を指定し、CPU１０１によって無線部１０７、アンテナ１２５を介して基地局に接続する。
▲２▼  基地局は交換機網を介して上記アクセス先とユーザ端末との間の回線を接続する。
▲３▼  ユーザはキー１１７入力により好みの音楽を指定し、ダウンロードする。
▲４▼  電話機はアクセス先から基地局を介し、アンテナ１２５、無線部１０７によって音楽データを受信する。
▲５▼  CPU１０１は受信した音楽データを外付けメモリ１１９に格納する。
【００１８】
外付けメモリ１１９に格納された音楽データは、ユーザのキー１１７入力によってその再生が指示される。ユーザから音楽再生が指示されると、CPU１０１は外付けメモリ１１９から音楽データを取り出し、可聴データに変換した上でスピーカ（図示せず）やイヤホン２０１等によって可聴音として出力する。
【００１９】
次に、本発明の第１の実施の形態について図３を参照して説明する。図３（ａ）は本発明の第１の実施の形態である電話機を開いたときの外観図であり、図３（ｂ）は同電話機を折り畳んだときの外観図である。
図３（ａ）を参照すると、受話器側ケース３０１と送話器側ケース３０３とがそれぞれの端部で連結された形で構成されている。電話機を折り畳んだとき内側となる受話器側ケース３０１の表面には、従来と同じように表示部であるLCD１１１が設けられている。１１５ａ〜１１５ｄで構成されるオーディオキー１１５は、受話器側ケース３０１との連結部３０５の反対側にある送話器側ケース３０３の端部に設けられている。
【００２０】
以下に、巻き戻しキー１１５ａ〜再生・一時停止キー１１５ｄで構成されるオーディオキー１１５の詳細を説明する。
（ａ）巻き戻しキー１１５ａ
再生中に押すことにより、前の音楽を再生する(頭出し)。また、長く押し続けることにより、再生中の曲を巻き戻すことができる。
（ｂ）早送りキー１１５ｂ
再生中に押すことにより、次の音楽を再生する(頭出し)。また、長く押し続けることにより、再生中の曲を早送りすることができる。
（ｃ）停止キー１１５ｃ
再生中に押すことにより再生中の音楽を停止できる。
（ｄ）再生・一時停止キー１１５ｄ
音楽停止時に押すことにより、メモリ１０５（外付けメモリ１１９）に格納されている音楽データを再生することができる。音楽再生時に押すことにより、再生中の音楽を一時停止することができる。一時停止時、再度キーを押すことにより一時停止が解除され、再び音楽の再生が開始される。
【００２１】
図３（ｂ）は電話機を折り畳んだとき外側となる受話器側ケース３０１の表面を上にし、電話機上方から見たときの外観図である。前述したように電話機が折畳まれると、CPU１０１は折畳み検出器１２１からの信号により「オーディオモード」に移行する。表１を参照すると、「オーディオモード」のとき小型LCD１１３はONにセットされ、音楽データが再生されている場合には再生中の曲名、アーティスト名、経過時間などが表示される。
【００２２】
次に、本発明の第２の実施の形態について図４を参照して説明する。
図４（ａ）は電話機を折り畳んだとき外側となる受話器側ケース４０１の表面を上にし、電話機上方から見たときの外観図である。また、図４（ｂ）は同電話機の外観斜視図であり、図４（ｃ）は同電話機を折り畳んだとき外側となる受話器側ケース４０１の表面を上にし、電話機側面から見たときの外観図である。
【００２３】
本発明の第２の実施の形態の電話機は、センターキー１１５ｅを中心にした上下左右４方向にある４つのキー１１５ｅ〜１１５ｉで構成されるオーディオキー１１５を有している。以下に、再生・一時停止キー１１５ｅ〜早送りキー１１５ｉで構成されるオーディオキー１１５の詳細を説明する。
【００２４】
（ｅ）再生・一時停止キー１１５ｅ
音楽停止時に押すことにより、メモリ１０５（外付けメモリ１１９）に格納されている音楽データを再生することができる。音楽再生時に押すことにより、再生中の音楽を一時停止することができる。一時停止時、再度キーを押すことにより一時停止が解除され、再び音楽の再生が開始される。
（ｆ）停止キー１１５ｆ（又は１１５ｇ）
再生中に押すことにより再生中の音楽を停止できる。
（ｈ）巻き戻しキー１１５ｈ
再生中に押すことにより、前の音楽を再生する(頭出し)。また、長く押し続けることにより、再生中の曲を巻き戻すことができる。
（ｉ）早送りキー１１５ｉ
再生中に押すことにより、次の音楽を再生する(頭出し)。また、長く押し続けることにより、再生中の曲を早送りすることができる。
なお、本実施の形態では小型LCD１１３を設けていないが、第１の実施の形態と同様に受話器側ケース４０１の外側表面等に設けることも可能である。
【００２５】
以上、本発明の実施の形態について説明したが、本発明は上記説明に限定されず、例えば開いた状態でのオーディオキー１１５は音楽再生のためだけではなく、電話機の他の操作(例えばWeb閲覧やアドレス帳の編集など)に割り当てることも可能である。
また、折り畳んだ状態で着信があった場合には、音楽を再生しているいないに関わらず、小型LCD１１３に発信相手の情報(名前、電話番号)を表示させることも可能である。これら以外にも、小型LCD１１３に時計（日付情報及び時刻情報）を表示させることも可能である。
【００２６】
このように、本発明によれば電話機を折畳んだ状態においても、メモリ１０５（外付けメモリ１１９）に格納されている音楽データの再生、停止といったオーディオ操作が可能となる。
また、小型LCD１１３の設置によって、折畳んだ状態においても再生中の曲名、アーティスト名、経過時間などの確認が可能となる。
また、折畳んだ状態でのオーディオ操作が可能となったことにより、従来技術に見られる電話機を開いて操作する煩わしさが軽減される。
また、折畳んだ状態で音楽再生ができることにより、常に折畳み状態で電話機を携帯することが可能となる。
これにより収納性に優れ、開いた状態で持ち運ぶことで懸念される電話機の強度性に関する不安も緩和することができる。
【００２７】
【発明の効果】
以上詳細に説明したように本発明の折り畳み式携帯電話機によれば、操作性と収納性にすぐれた折り畳み式携帯電話機を提供することが可能になる。
【図面の簡単な説明】
【図１】本発明の実施の形態である折り畳み式携帯電話機の機能ブロック図。
【図２】本発明の第１の実施の形態である折り畳み式携帯電話機の外観斜視図。
【図３】本発明の第１の実施の形態である折り畳み式携帯電話機の外観図。
【図４】本発明の第２の実施の形態である折り畳み式携帯電話機の外観図。
【図５】従来の折り畳み式携帯電話機の機能ブロック図。
【図６】従来の折り畳み式携帯電話機の外観図。
【図７】外付けメモリを格納できる折り畳み式携帯電話機の機能ブロック図。
【符号の説明】
３０１，４０１  受話器側ケース
３０３，４０３  送話器側ケース
１１３  小型ＬＣＤ
１１５  オーディオキー
【図１】
0003690585.tif 000003
【図２】
0003690585.tif 000004
【図３】
0003690585.tif 000005
【図４】
0003690585.tif 000006
【図５】
0003690585.tif 000007
【図６】
0003690585.tif 000008
【図７】
0003690585.tif 000009